(57)【要約】      （修正有）【課題】十分なマイナスイオンを発生するとともに適度な形状記憶性を有するマイナスイオン発生部材を提供する。【解決手段】駆動装置又は電気製品に磁石１３を用いて取り付けられるマイナスイオン発生部材であって、ゼラチン１０ａ中にラジウム鉱石の微粒子１０ｂを分散させて固化させたマイナスイオン発生部１０と、炭から構成され、前記マイナスイオン発生部１０の両端１０ｃ、１０ｄに設けられた増強部１１ａ、１１ｂと、アルミ箔から構成され、前記増強部１１ａ、１１ｂを含むマイナスイオン発生部１０を覆って密封する外装部１２とを備える。【選択図】図２
0003184731.tif 000002
【実用新案登録請求の範囲】
【請求項１】
駆動装置又は電気製品に取り付けられるマイナスイオン発生部材であって、
ゼラチン中にラジウム鉱石の微粒子を分散させて固化させたマイナスイオン発生部と、
炭から構成され、前記マイナスイオン発生部の両端に設けられた増強部と、
アルミ箔から構成され、前記増強部を含むマイナスイオン発生部を覆って密封する外装部と
を備えることを特徴とするマイナスイオン発生部材。
【考案の詳細な説明】
【技術分野】
【０００１】
本考案は、マイナスイオン発生部材に関し、詳しくは、十分なマイナスイオンを発生するとともに適度な形状記憶性を有するマイナスイオン発生部材に関する。
【背景技術】
【０００２】
従来より、車両、船舶等に使用される内燃機関には、吸気の不良等により不完全燃焼が発生している。この不完全燃焼が生じると、燃料の消費に無駄が生じたり、大きな騒音を発生させたり、ＣＯ（一酸化炭素）やＨＣ（炭化水素）等の有害な排気ガスが放出される等の問題が生じる。
【０００３】
そこで、この問題を解決するために、実用新案登録第３１２０９４４号公報（特許文献１）には、トルマリン微粉体をアルミ箔で包み込み薄い帯状に成形したことを特徴とする内燃機関の吸気改善器具が開示されている。この吸気改善器具は、狭いエンジンルーム内に取り付け可能であるように薄く成形され、更に、円形や角形の吸気管の外部に取り付けることが可能なように帯状に成形されている。これにより、燃費を向上させたり、加速性能が向上して、アクセルを踏み込んだ時に運転者に出足が良いという実感を与えたりすることが可能となるとしている。
【０００４】
又、電流（電気、電力）をエネルギー源とした冷蔵庫、冷凍庫、圧縮機（コンプレッサー）、テレビジョン受像機、エアコン等の各種の電気製品（電気機器類）が存在するが、これらのエネルギー効率を向上させるために、マイナスイオンが発生する部材が使用されている。
【０００５】
例えば、特開２０１２−１１０８３７号公報（特許文献２）には、配電盤ブレーカ及び漏電遮断機と、電気器具のコードの各位置に貼着される厚さ寸法１〜３ミリメートル、表面積９〜４００平方センチメートルの可撓性貼着シートが、電流を増幅する環境改善シートとして開示されている。ここで、前記可撓性貼着シートは、天然鉱石パウダーと合成ゴム・合成樹脂材料との混錬物で構成されている。又、前記天然鉱石パウダーは、粒径０．５〜５０ミクロンの天然鉱石パウダーであり、その内訳は、ブラックシリカ０．５〜３重量％、セラストーン３〜１０重量％、千枚岩２〜５重量％、オネガ石３〜８重量％、医王石２〜５重量％、ゲルマニウム鉱石０．５〜２重量％、チタン０．５〜２重量％、ジルコニウム０．５〜５重量％、ラジウム鉱石１〜５重量％、水晶０．３〜２重量％、貝化石１〜３重量％で構成されている。更に、前記合成ゴム・合成樹脂材料は、ＮＢＲ（合成ゴム）２０〜３５重量％、ポリエチレン１０〜１５重量％、ハイトロン５〜１５重量％、ゼオライト２０〜３０重量％で構成されている。これにより、可撓性貼着シートから発せられる微量放射線、マイナスイオン、遠赤外線、黒体放射、テラヘルツ放射などの放射エネルギー（光量子エネルギー）により、目的とする電気機器類の電気抵抗値が低減され、電気伝導率が高まることで電流が増幅し、電気機器類は機能が高められ、省エネにつながるとしている。
【０００６】
又、特開２００７−８０８０５号公報（特許文献３）には、自動車、電気製品（部品）等の使用時にアース電位となるべき部位に塗布、密着又は混入されるマイナスイオン発生物質（トルマリン鉱石の粉末など）が開示されている。これにより、自動車においては、動力（エンジン・モーター）性能の向上、燃費性能の向上、バッテリー性能の向上、音響製品の音質の改善、静粛性の向上、より滑らかなサスペンション性能が得られるとしている。又、電気製品においては、雑音の低下及び各種性能の向上、電気使用量（電気消費量）の低下などが得られるとしている。
【０００７】
又、特開２００１−４２０９３号公報（特許文献４）には、低レベル放射性鉱物とトルマリンを粉末状態で適量に混合した粉粒体が開示されている。この粉粒体を磁気やプラスチック類あるいはゼラチン等に封入して、放出されるマイナスイオンを利用する液状及び固形状にする。これにより、トルマリンからのマイナスイオンの発生量を従来技術より増加できるとしている。
【０００８】
又、特開２０１２−２２５３２６号公報（特許文献５）には、内燃機関の燃焼部よりも上流側の空気の流路に設けられたエアフィルターに鉱石を接着し、又は鉱石が接着されたエアフィルターを内燃機関の燃焼部よりも上流側の空気の流路に設けて、前記燃焼部からの排気ガスを浄化することを特徴とする内燃機関の燃焼部からの排気ガスの浄化方法が開示されている。この鉱石をエアフィルターに接着する接着剤として、ポリビニルアルコール樹脂、ポリアクリル酸樹脂、ポリエチレンオキサイド樹脂、アクリル酸エステル共重合樹脂、デンプン、グルコマンナン、カゼイン、ゼラチン、セルロース誘導体、アクリルゴム、クロロプレンゴム、スチレン−ブタジエンゴム、ニトリル−ブタジエンゴム、イソプレンゴム、及び天然ゴムからなる群から選ばれる少なくとも１種以上の接着剤が用いられる。これにより、内燃機関の燃焼部からの排気ガスに含まれるＮＯＸ、ＳＯＸ、ＣＯ等の有害成分やＣＯ２を削減して排気ガスを浄化することが可能となり、又、内燃機関を車輛等に適用した場合に、燃費を向上させることも可能となるとしている。
【先行技術文献】
【特許文献】
【０００９】
【特許文献１】実用新案登録第３１２０９４４号公報
【特許文献２】特開２０１２−１１０８３７号公報
【特許文献３】特開２００７−８０８０５号公報
【特許文献４】特開２００１−４２０９３号公報
【特許文献５】特開２０１２−２２５３２６号公報
【考案の概要】
【考案が解決しようとする課題】
【００１０】
上述した特許文献１−５では、内燃機関の燃費向上も電気機器類（電気装置）の電気使用量低減も共通して駆動装置や電気製品にマイナスイオンを照射することで、駆動装置や電気製品に発生した微小な静電気を除去（中和）し、各種の効果を得ている。
【００１１】
しかしながら、上述した特許文献１−５に記載の発明（マイナスイオン発生部材とする）では、製造方法や取り付け状態に応じて十分なマイナスイオンが発生せずに、各種の効果が得られないという問題がある。
【００１２】
又、上述した駆動装置、電気製品の外装の形状は、通常、円形、球形、多角形等であり、上述した特許文献１−５に記載のマイナスイオン発生部材では、曲げたり折ったりすると、内部の鉱石の量が変動して、十分な効果が得られない場合がある。そのため、外装の形状が円形等である駆動装置、電気製品に取り付け難く、十分な効果が得にくいという問題がある。
【００１３】
従って、現在では、十分なマイナスイオンを発生するとともに適度な形状記憶性を有するマイナスイオン発生部材が切望されていた。
【００１４】
そこで、本考案は、前記問題を解決するためになされたものであり、十分なマイナスイオンを発生するとともに適度な形状記憶性を有するマイナスイオン発生部材を提供することを目的とする。
【課題を解決するための手段】
【００１５】
本考案者は、鋭意研究を重ねた結果、本考案に係る新規なマイナスイオン発生部材を完成させた。つまり、本考案は、駆動装置又は電気製品に取り付けられるマイナスイオン発生部材であって、以下の構成を採用する。即ち、本考案は、ゼラチン中にラジウム鉱石の微粒子を分散させて固化させたマイナスイオン発生部と、炭から構成され、前記マイナスイオン発生部の両端に設けられた増強部と、アルミ箔から構成され、前記増強部を含むマイナスイオン発生部を覆って密封する外装部とを備えることを特徴とする。
【考案の効果】
【００１６】
本考案に係るマイナスイオン発生部材によれば、十分なマイナスイオンを発生させるとともに適度な形状記憶性を有するため、駆動装置の燃費向上や電気機器類の電気使用量低減を効果的に実現することが可能となる。
【図面の簡単な説明】
【００１７】
【図１】本考案に係るマイナスイオン発生部材のＡ−Ａ線の平面断面図と、Ｂ−Ｂ線の正面断面図である。
【図２】本考案に係るマイナスイオン発生部材の固定状態における平面断面図である。
【図３】本考案に係るマイナスイオン発生部材の平面斜視図と、底面斜視図である。
【図４】本考案に係るマイナスイオン発生部材を円筒形に曲げて駆動装置に取り付けた状態の斜視図である。
【図５】本考案に係るマイナスイオン発生部材を平面の電気製品に磁石で取り付けた状態の斜視図である。
【考案を実施するための形態】
【００１８】
以下に、添付図面を参照して、本考案に係るマイナスイオン発生部材の実施形態について説明し、本考案の理解に供する。尚、以下の実施形態は、本考案を具体化した一例であって、本考案の技術的範囲を限定する性格のものではない。
【００１９】
＜マイナスイオン発生部材＞
本考案に係るマイナスイオン発生部材１は、駆動装置又は電気製品に取り付けられるマイナスイオン発生部材であって、図１、図２、図３に示すように、ゼラチン１０ａ中にラジウム鉱石の微粒子１０ｂを分散させて固化させたマイナスイオン発生部１０と、炭から構成され、前記マイナスイオン発生部１０の両端１０ｃ、１０ｄ（右端１０ｃ、左端１０ｄ）に設けられた増強部１１ａ、１１ｂ（右側増強部１１ａ、左側増強部１１ｂ）と、アルミ箔から構成され、前記増強部１１ａ、１１ｂを含むマイナスイオン発生部１０を覆って密封する外装部１２とを備えることを特徴とする。
【００２０】
これにより、十分なマイナスイオンを発生させるとともに適度な形状記憶性を有するため、駆動装置の燃費向上や電気製品の電気使用量低減を効果的に実現することが可能となる。
【００２１】
即ち、マイナスイオン発生部１０は、マイナスイオンを発生するラジウム鉱石の微粒子１０ｂをゼラチン１０ａ中で固化した構成であるため、微粒子１０ｂ間の距離をゼラチン１０ａが適度に保持されるとともに、マイナスイオン発生部１０に柔軟性を持たせることが可能となる。そのため、本考案に係るマイナスイオン発生部材１をどのような形状に湾曲させても、微粒子１０ｂにムラが生じることなく、微粒子１０ｂ間の距離を適度に保持させたまま、外装に取り付けることが可能となる。
【００２２】
又、炭で構成された増強部１１ａ、１１ｂが、マイナスイオン発生部１０の両端に配置されることで、図２に示すように、炭自体が、周囲のプラスイオンを吸収し、当該マイナスイオン発生部１０の両端から放出されるマイナスイオンを上方又は下方へ誘導し増強する。即ち、本考案に係るマイナスイオン発生部材１の平面又は底面から放出されるマイナスイオンを増強することが可能となる。
【００２３】
更に、アルミ箔で構成される外装部１２が、図３に示すように、マイナスイオン発生部１０、増強部１１ａ、１１ｂを覆って密封する、つまり、包み込むため、特に、ラジウム鉱石の微粒子１０ｂが外部に漏れ出ることを防止するとともに、外装部１２のアルミ箔が適度な形状記憶性を有することになる。又、アルミ箔は、マイナスイオンを通過させるため、材質としては好適である。これにより、上述したマイナスイオン発生部１０の柔軟性も相俟って、本考案に係るマイナスイオン発生部材１をどのような形状に曲げたり折ったりしても、微粒子１０ｂを均一にしておくことが可能となる。その結果、図４に示すように、従来より取り付けが困難であった多様な外装形状（例えば、円筒形）の駆動装置、電気製品にも本考案に係るマイナスイオン発生部材１を簡単に取り付けておくことができるとともに、マイナスイオンによる効果を十分に得ることが可能となるのである。
【００２４】
特に、駆動装置又は電気製品が、その駆動又は使用により微小に振動する場合は、外装の形状に対応して形状記憶出来ると、当該振動により本考案に係るマイナスイオン発生部材１が自然に外れることが無くなるため、最適である。
【００２５】
ここで、ゼラチン１０ａは、本考案の目的を阻害しない限り、特に限定は無いが、例えば、食用ゼラチンよりも業務用ゼラチンを採用すると、適度な柔軟性を有するとともにムラ無く形状を維持させ、微粒子１０ｂを均一にしておくことが可能となるため、好ましい。
【００２６】
尚、ラジウム鉱石の微粒子１０ｂを分散させて固化させる媒体（バインダー剤等）としてゼラチン１０ａでなく木工ボンドや防水用パテ等の硬化性バインダー剤を採用すると、強固に固化するため、作成（工程）中にクラックが生じたり、部材全体を曲げたり折ったりすると、亀裂が入ったり割れたりして、形状を維持することが出来ないため、好ましくない。
【００２７】
又、ゼラチン１０ａ中のラジウム鉱石の微粒子１０ｂの濃度は、本考案の目的を阻害しない限り、特に限定は無いが、例えば、３０重量％〜９０重量％の範囲内であると好ましく、更に、４０重量％〜８０重量％の範囲内であると更に好ましい。これにより、ラジウム鉱石の微粒子１０ｂを出来るだけ所定間隔を空けたまま分散させることが出来るとともに、各微粒子１０ｂから発生するマイナスイオンの数を効果的に増強させることが可能となる。
【００２８】
又、ラジウム鉱石の種類は、マイナスイオンを発生する能力があるラジウム鉱石であれば、本考案の目的を阻害しない限り、特に限定は無いが、例えば、バドガシュタイン鉱石が好ましい。これにより、マイナスイオンの数を簡単に増強させることが可能となる。
【００２９】
又、ラジウム鉱石の微粒子１０ｂの粒子径は、本考案の目的を阻害しない限り、特に限定は無いが、例えば、０．１μｍ〜１０００μｍの範囲内であると好ましい。この場合、ラジウム鉱石の微粒子１０ｂは、パウダーや粉体に近いことになる。これにより、各微粒子１０ｂからマイナスイオンを効果的に発生させることが可能となる。尚、ラジウム鉱石の微粒子１０ｂの粒子径は、ほぼ均等（均一）であっても、不均等（不均一）であっても構わない。
【００３０】
又、ラジウム鉱石の微粒子１０ｂの形状は、上述したようなパウダー又は紛体であれば、本考案の目的を阻害しない限り、特に限定は無いが、例えば、円形、楕円形、多角形等が挙げられる。
【００３１】
又、ラジウム鉱石の微粒子１０ｂは、マイナスイオンを発生させる他の鉱石（トルマリン、備長炭等）と混合しない純粋物であっても、他の鉱石と混合した混合物であっても、構わない。
【００３２】
又、マイナスイオン発生部１０の形状は、本考案の目的を阻害しない限り、特に限定はないが、例えば、長方形、正方形、円形、楕円形、多角形等の平坦な薄い形状等が好ましい。これにより、本考案に係るマイナスイオン発生部材１を取り付け対象の外装に目立つことなく取り付けておくことが可能となる。
【００３３】
又、マイナスイオン発生部１０の製造方法は、本考案の目的を阻害しない限り、特に限定は無い。例えば、所定の溶媒（水）にゼラチン１０ａの紛体を添加して加熱、混合させて均一にした後、ラジウム鉱石の微粒子１０ｂを添加して混合させて、加熱溶液を作成し、その加熱溶液を、所望の形状（長方形状）を有する金型の凹部に流し込んで冷却して、マイナスイオン発生部１０を製造する方法が挙げられる。この方法では、ゼラチン１０ａが適度に柔軟し浸透するため、ムラのない形状で成形され、好ましい。
【００３４】
又、増強部１１ａ、１１ｂの材質は、炭であれば、本考案の目的を阻害しない限り、特に限定は無いが、例えば、備長炭よりも竹炭が好ましい。これにより、竹炭はゼラチンと接触しても、周囲のプラスイオンを吸収してマイナスイオンの数を増強させるため、全体としてマイナスイオンの数を効果的に増加させることが可能となる。
【００３５】
又、増強部１１ａ、１１ｂの配置は、本考案の目的を阻害しない限り、特に限定は無いが、例えば、図１に示すように、マイナスイオン発生部１０の長手方向の両端１０ｃ、１０ｄ（右端１０ｃ、左端１０ｄ）であると好ましく、更に、マイナスイオン発生部１０の長手方向の両端１０ｃ、１０ｄ及び短手方向の両端（四方端部）であると更に好ましい。
【００３６】
又、増強部１１ａ、１１ｂの形状は、本考案の目的を阻害しない限り、特に限定は無いが、例えば、図１に示すように、取り付け面Ｓに対して垂直な方向の断面視（断面正面視）においてＬ字形状であり、当該Ｌ字形状の底面を取り付け面Ｓと対向する位置に配置されると好ましい。これにより、マイナスイオン発生部１０から発生するマイナスイオンが取り付け面Ｓと反対方向に放射しても、増強部１１ａ、１１ｂのＬ字形状の底面が取り付け面Ｓへ反射させる。その結果、取り付け面Ｓに照射されるマイナスイオンの数を効果的に増加させることが可能となる。
【００３７】
又、増強部１１ａ、１１ｂの寸法は、本考案の目的を阻害しない限り、特に限定は無いが、例えば、図１に示すように、断面視（断面正面視）における側面の寸法（Ｌ字形状の側面の寸法）が、マイナスイオン発生部１０の長手方向の寸法に対して１０分の１〜２０分の１の範囲内であると好ましい。
【００３８】
又、外装部１２の厚みは、本考案の目的を阻害しない限り、特に限定は無いが、例えば、０．１ｍｍ〜１．０ｍｍの範囲内であると好ましい。これにより、ユーザが外装部１２を容易に曲げたり折ったりして、取り付け対象の駆動装置や電気製品の外装の形状に対応させることが可能となる。
【００３９】
又、本考案に係るマイナスイオン発生部材１から発生するマイナスイオンの数は、本考案の目的を阻害しない限り、特に限定は無いが、例えば、５０００個／ｃｃ（ｉｏｎｓ／ｃｍ３）以上であると好ましく、１００００個／ｃｃ以上であると更に好ましく、２００００個／ｃｃ以上であると最も好ましい。これにより、取り付け対象の駆動装置の燃費を効果的に向上させることが出来るとともに、取り付け対象の電気製品の電気使用量を効果的に低減させることが可能となる。尚、上述した増強部１１ａ、１１ｂを設けない場合の全体のマイナスイオンの数は、４０００個／ｃｃ未満と微弱になる可能性がある。
【００４０】
ここで、マイナスイオンの数は、市販の鉱石用マイナスイオン測定器の検知部を、本考案に係るマイナスイオン発生部材１の取り付け面Ｓに当てればよい。ここで、マイナスイオン測定器は、所定の検知部で空気中のマイナスイオン（マイナス電荷）を持った分子の電流量（μＡ）を検出し、当該検出した電流量（μＡ）に所定の係数を掛けることでマイナスイオンの個数を算出するよう構成される。
【００４１】
又、本考案に係るマイナスイオン発生部材１から発生する放射能の強さは、本考案の目的を阻害しない限り、特に限定は無いが、例えば、３７０ベクレル／ｇ以下であると好ましい。更に、本考案に係るマイナスイオン発生部材１から発生する放射線量は、本考案の目的を阻害しない限り、特に限定は無いが、例えば、０．０３〜０．０５μシーベルト／ｈの範囲内であると好ましい。これにより、本考案に係るマイナスイオン発生部材１の販売について所定の規制による届出を出す必要が無くなる。
【００４２】
又、本考案に係るマイナスイオン発生部材１は、図１、図２、図３に示すように、外装部１２の内面に磁石１３を備えると好ましく、外装部１２の長手方向の両端における取り付け面Ｓの内面にそれぞれ磁石１３を備えると更に好ましい。これにより、通常、取り付け対象の駆動装置又は電気製品の外装は金属性であるため、図５に示すように、本考案に係るマイナスイオン発生部材１を磁石１３によって定常的に電気製品（又は駆動装置）の外装に取り付けることが可能となる。
【００４３】
特に、駆動装置では、通常、外装に、軽油、ガソリン、重油、油やグリス等が付着した状態で駆動するため、例えば、接着剤や接着テープ（両面テープ等）で本考案に係るマイナスイオン発生部材１を取り付けると、接着剤等が油等で溶けて、当該マイナスイオン発生部材１が自然に外れてしまう場合がある。上述のように磁石１３を設けることで、油等による外れを確実に防止することが可能となり、各種の効果を定常的に得ることが可能となる。
【００４４】
又、磁石１３の形状は、本考案の目的を阻害しない限り、特に限定は無いが、例えば、円盤形状、平板形状等が挙げられる。又、磁石１３の寸法は、本考案の目的を阻害しない限り、特に限定は無いが、例えば、円盤形状である場合に、厚みが１．０ｍｍ〜１０．０ｍｍの範囲内であると好ましく、直径が３．０ｍｍ〜２０．０ｍｍの範囲内であると好ましい。又、磁石１３の配置は、本考案の目的を阻害しない限り、特に限定は無いが、例えば、マイナスイオン発生部材１の長手方向の一端又は両端、短手方向の一端又は両端、中央、四隅等における取り付け面Ｓの内面が挙げられる。
【００４５】
又、本考案に係るマイナスイオン発生部材１は、図１に示すように、金属性平板から構成され、マイナスイオン発生部１０の取り付け面と対向する面（表面、平面）を覆う支持部１４を備えると好ましい。これにより、本考案に係るマイナスイオン発生部材１を曲げた際に、支持部１４も曲がって形状を強固に維持するため、取り付け対象の外装がどのような形状であっても、本考案に係るマイナスイオン発生部材１の形状をそれに対応させてから定常的に貼り付けることが可能となる。その結果、取り付け対象が多少振動する場合であっても、本考案に係るマイナスイオン発生部材１を確実に取り付けておき、そのマイナスイオンを確実に取り付け対象に照射することが可能となる。尚、支持部１４は、マイナスイオン発生部１０の取り付け面と対向する面を全面覆っても一部覆っても構わない。
【００４６】
又、支持部１４の種類は、本考案の目的を阻害しない限り、特に限定は無いが、例えば、鉄、銅よりもアルミ、ステンレスが好ましい。又、支持部１４の厚みは、本考案の目的を阻害しない限り、特に限定は無いが、例えば、０．０５ｍｍ〜５．００ｍｍの範囲内であると好ましい。
【００４７】
又、本考案に係るマイナスイオン発生部材１は、図１に示すように、プラスチックフィルムから構成され、増強部１１ａ、１１ｂを含むマイナスイオン発生部１０を覆って密封し、当該マイナスイオン発生部１０と外装部１２との間に存在する中間部１５を備えると好ましい。これにより、本考案に係るマイナスイオン発生部材１を、外部で利用される駆動装置の外装に取り付けられた場合に、雨等の水分が、マイナスイオン発生部１０の内部へ侵入することを確実に防止することが可能となる。特に、マイナスイオン発生部１０のラジウム鉱石の微粒子１０ｂは絶えずマイナスイオンを発生するため、水分等が侵入すると、ショート（短絡）して大変危険である。上述のような中間部１５を設け、マイナスイオン発生部１０を中間部１５、外装部１２の二重構造で密封することで、ショートの発生を確実に防止することが可能となる。
【００４８】
又、中間部１５の種類は、本考案の目的を阻害しない限り、特に限定は無いが、例えば、ポリエチレン、ポリプロピレン、ポリ塩化ビニル等の防水性又は／及び耐熱性のプラスチックが好ましい。又、中間部１５の厚みは、本考案の目的を阻害しない限り、特に限定は無いが、例えば、０．０５ｍｍ〜２．００ｍｍの範囲内であると好ましい。
【００４９】
又、中間部１５の外表面は、本考案の目的を阻害しない限り、特に限定は無いが、例えば、防水性接着剤又は／及び塗料を塗ると好ましい。これにより、上述したショートの発生を確実に防止することが可能となる。
【００５０】
又、本考案に係るマイナスイオン発生部材１が取り付けられる取り付け対象は、駆動装置又は／及び電気製品であれば、本考案の目的を阻害しない限り、特に限定は無い。駆動装置であれば、例えば、冷蔵庫、圧縮機、モータ、電動ハンマー、電動ドリル等の往復運動をする駆動装置、ガソリンエンジンを備えた自動車、小型又は大型自動車、小型又は大型トラック、バス、ダンプカー、オートバイ、リフト車、クレーン車、ショベル車等の各種の特装車、船舶、航空機等、ボイラ、ストーブ等の各種の燃焼機器、ディーゼルエンジン、プロパンガスエンジン、ジェットエンジン等の各種のエンジン、火力発電機等が挙げられる。又、電気製品であれば、例えば、エアコン（エアーコンディショナー）、テレビ（テレビジョン受像機）、洗濯機、冷蔵庫、冷凍庫、照明器具、パソコン、携帯電話、タブレット、ノートパソコン、電子レンジ、アイロン、マッサージ装置、電源装置、電気自動車、２４時間の小規模店舗（小売店、コンビニエンスストア等）、大型冷蔵庫、大型冷凍庫、レジ、調理装置、遊具装置（パチンコ）、自動販売機、コンセント（プラグ受け、差込口）、ブレーカ（テンパール）、配線用遮断器、電流制限器、漏電遮断器、電源分電盤、ＡＣ−ＤＣアダプタ、ＡＣ−ＡＣアダプタ等が挙げられる。尚、駆動装置又は／及び電気製品は、家庭用、個人用はもちろん、工業用、農業用、医療用、運輸用、航空用、宇宙産業用等のあらゆる用途で利用される。
【００５１】
＜マイナスイオン発生部材の製造方法＞
次に、本考案に係るマイナスイオン発生部材１の製造方法について説明する。
【００５２】
先ず、工業用ゼラチンを市販のミキサーでパウダー（紛体）にし、そのゼラチン紛体１．５ｇを水２０ｃｃ（２０ｇ）に添加して混合し、加熱して均一に溶解させる。次に、その加熱溶液（約２１．５ｇ）にラジウム鉱石（バドガシュタイン鉱石）の微粒子を２０ｇを添加して混合し、ラジウム鉱石の微粒子の濃度を約５０重量％にする。
【００５３】
一方、長手方向の寸法が１３．０ｃｍ、短手方向の寸法が３．０ｃｍ、厚みが０．５ｃｍの長方形状を有する金型の凹部を予め用意し、この凹部にプラスチックフィルム（ポリ塩化ビニル）を被せるとともに、竹炭から構成されるＬ字形状の増強部と、直径が１．０ｃｍ、厚みが１．２ｍｍの円形磁石をそれぞれ両端に配置する。
【００５４】
そして、この凹部に加熱溶液を流し込むとともに、長手方向の寸法が１３．０ｃｍ、短手方向の寸法が３．０ｃｍ、厚みが０．１ｍｍのアルミ板を上から被せてプラスチックフィルムで全て密封し、上から所定の金型で圧縮し固定化する。
【００５５】
その後、全て取り出して、プラスチックフィルムに防水性の塗料（接着剤）を塗布して防水加工し、更に、厚みが０．１ｍｍのアルミ箔で被せて密封し、図３に示すように、所定の表示（「動力用」）をすることで、本考案に係るマイナスイオン発生部材が出来上がる。
【００５６】
＜実施例、比較例等＞
以下、実施例、比較例等によって本考案を具体的に説明するが、本考案はこれにより限定されるものではない。
【００５７】
＜実施例１＞
本考案に係るマイナスイオン発生部材１は、上述した製造方法により製造した。尚、マイナスイオン発生部材１から発生するマイナスイオンの数は約２２０００個／ｃｃであった。次に、そのマイナスイオン発生部材１の形状を、外枠が円筒形状である市販の圧縮機（コンプレッサー）に対応させて曲げた後に、当該マイナスイオン発生部材１を圧縮機に取り付けた。そして、１日中、圧縮機を駆動した。その結果、マイナスイオン発生部材１が全く外れることが無く、圧縮機から発生する騒音が消えるとともに、圧縮機回転数２０００ｍｉｎ−１に対して体積効率が約４０％となり、その駆動に要する燃料は約０．８Ｌであった。
【００５８】
＜比較例１＞
実施例１と同一の圧縮機を用いて、本考案に係るマイナスイオン発生部材１を取り付けることなく、１日中、圧縮機を駆動した。その結果、圧縮機から騒音が発生するとともに、圧縮機回転数２０００ｍｉｎ−１に対して体積効率が約３０％となり、その駆動に要する燃料は約１．０Ｌであった。
【００５９】
＜比較結果＞
実施例１では、比較例１と比較して体積効率が約３３％程度向上し、燃費も約２０％向上していることが理解される。又、圧縮機に振動が生じていても、マイナスイオン発生部材１の形状記憶性により常時圧縮機に取り付けておくことが出来たとともに、圧縮機の騒音も消えていた。上述の結果により、本考案に係るマイナスイオン発生部材１は、圧縮機の燃費を向上させるとともに、外装が円筒形状の圧縮機でも定常的に取り付けることが出来た。
【００６０】
＜実施例２＞
実施例１に係るマイナスイオン発生部材１をそのまま利用した。電気製品である冷蔵庫、洗濯機、テレビ、エアコン、パソコンが設置された家屋のブレーカの主電源の外側面に本考案に係るマイナスイオン発生部材１を取り付けた。ここで、ブレーカの外側面は、非常に狭いため、マイナスイオン発生部材１を適度に折り曲げた後にブレーカに取り付けた。そして、１か月だけ前記電気製品を使用して生活した。その結果、当該生活に要した電気使用量は約３００ｋＷｈであった。
【００６１】
＜比較例２＞
実施例２と同一の家屋を用いて、当該家屋のブレーカにマイナスイオン発生部材１を取り付けることなく、１か月だけ前記電気製品を使用して生活した。その結果、当該生活に要した電気使用量は約４００ｋＷｈであった。
【００６２】
＜比較結果＞
実施例２、比較例２の間では、電気製品の使用時間、頻度等に多少の差異があるものの、実施例２では、比較例２と比較して電気使用量が約１２％低減させていた。又、ブレーカの周辺は角張ったり周囲の隙間が小さかったりするものの、マイナスイオン発生部材１の形状記憶性により常時ブレーカに取り付けておくことが出来た。上述の結果により、本考案に係るマイナスイオン発生部材１は、電気製品の電気使用量を低減させるとともに、外装が角張ったブレーカでも定常的に取り付けることが出来た。
【００６３】
このように、本考案に係るマイナスイオン発生部材１は、ゼラチン１０ａ中にラジウム鉱石の微粒子１０ｂを分散させて固化させたマイナスイオン発生部１０と、炭から構成され、前記マイナスイオン発生部１０の両端１０ｃ、１０ｄに設けられた増強部１１ａ、１１ｂと、アルミ箔から構成され、前記増強部１１ａ、１１ｂを含むマイナスイオン発生部１０を覆って密封する外装部１２とを備えることを特徴とする。
【００６４】
これにより、十分なマイナスイオンを発生させるとともに適度な形状記憶性を有するため、駆動装置の燃費向上や電気製品の電気使用量低減を効果的に実現することが可能となる。
【産業上の利用可能性】
【００６５】
以上のように、本考案に係るマイナスイオン発生部材は、あらゆる分野における駆動装置又は電気製品で使用されるマイナスイオン発生部材として有用であり、十分なマイナスイオンを発生するとともに適度な形状記憶性を有するマイナスイオン発生部材として有効である。
【符号の説明】
【００６６】
１  マイナスイオン発生部材
１０  マイナスイオン発生部
１１  増強部
１２  外装部
１３  磁石
１４  支持部
１５  中間部
【図１】
0003184731.tif 000003
【図２】
0003184731.tif 000004
【図３】
0003184731.tif 000005
【図４】
0003184731.tif 000006
【図５】
0003184731.tif 000007